(57)【要約】【課題】生体成分である核酸を用いることにより、安全性が高く、従来より短波長側の紫外線も吸収できる紫外線吸収剤を提供すること。【解決手段】アデニン、チミン、グアニン、シトシン、ウラシル塩基を含む全てのヌクレオシド、リボヌクレオチド、デオキシリボヌクレオチド及びポリヌクレオチドから選ばれた１種又は２種以上を含む核酸と、金、銀、銅、白金を含む全ての金属イオンから選ばれた１種又は２種以上とを配合し、核酸−金属複合体を形成した紫外線吸収剤。【選択図】図１
2008133402.tif 000002
【特許請求の範囲】
【請求項１】
核酸を成分に含むことを特徴とする紫外線吸収剤。
【請求項２】
金属イオンを配合し、核酸−金属複合体を形成したことを特徴とする請求項１に記載の紫外線吸収剤。
【請求項３】
核酸がアデニン、チミン、グアニン、シトシン、ウラシル塩基を含む全てのヌクレオシド、リボヌクレオチド、デオキシリボヌクレオチド及びポリヌクレオチドから選ばれた１種若しくは２種以上を含むことを特徴とする請求項１又は２に記載の紫外線吸収剤。
【請求項４】
金属イオンの金属が、金を含むことを特徴とする請求項２又は３に記載の紫外線吸収剤。
【請求項５】
上記請求項１乃至５のいずれか１項に記載の紫外線吸収剤を含んだ化粧品、目薬、農作物保護剤を含んだ全ての紫外線からの保護を目的とした用途に用いられる製品としての紫外線吸収剤。
【発明の詳細な説明】
【技術分野】
【０００１】
この発明は、生体成分である核酸を紫外線吸収剤として利用した紫外線吸収剤に関するものである。
【背景技術】
【０００２】
細胞に紫外線が当たると、ピリミジン塩基（シトシンまたはチミン）が２個連続した場所で特徴的なＤＮＡ損傷が発生することがわかっている。これらの損傷はＤＮＡの複製や転写を阻害し、細胞死や突然変異をもたらす。また、突然変異はＤＮＡ複製の時のエラーによっても生じ、老化、がん化、遺伝病発症の原因となっている。
【０００３】
この紫外線は、波長が３８０〜３２０ｎｍのＵＶ−Ａ、３２０〜２８０ｎｍのＵＶ−Ｂ、２８０〜２００ｎｍのＵＶ−Ｃと、波長により分類されており、より短波長のＵＶ−ＢやＵＶ−ＣがＵＶ−Ａより破壊力が強くなるが、地球を覆うオゾン層により波長２９０ｎｍ付近を境にして、それより短波長のＵＶ−Ｃの全てと、ＵＶ−Ｂの２９０ｎｍより短波長は地表に届いておらず、現在はＵＶ−Ｂの一部とＵＶ−Ａに対する紫外線防止対策がされている。
【０００４】
体に対する紫外線による被害を防止するための手法として、紫外線を吸収して熱エネルギー等に変えて放出することにより人体へ紫外線を通さなくする紫外線吸収剤、あるいは紫外線を錯乱、反射させて人体へ紫外線を通さないようにする紫外線錯乱剤が日焼け止め化粧品等に配合されており、例えば、紫外線吸収剤としては、有機化合物が主に用いられており（例えば、特許文献１参照）、また、紫外線錯乱剤としては無機化合物が用いられていた（例えば、特許文献２参照）。
【特許文献１】特表２００４−５３３５２９号公報（特許請求の範囲）
【特許文献２】特開平６−２７９０２６号公報
【発明の開示】
【発明が解決しようとする課題】
【０００５】
ところで、紫外線吸収剤は主にＵＶ−Ｂ  ３１０ｎｍ付近に吸収極大を持つ化合物が使用されているが、その紫外線吸収剤の持つ毒性（発癌性）が近年問題となってきており、新たに酸化チタンや酸化亜鉛などの白色の無機粉体が使用された紫外線錯乱剤が注目されている。
【０００６】
しかしながら、錯乱剤を用いた日焼け止めは、肌が白っぽくなったりメイクの仕上がりが重く見えることもあり利便性にはやや欠ける。また錯乱剤のナノ粒子吸引による呼吸器官、脳への危険性も近年警鐘がされており、先行きは不透明である。
【０００７】
更に、近年オゾン層の破壊により、従来地表に届いていなかった２９０ｎｍより短波長の紫外線が地表に達しつつあり、その紫外線のＤＮＡ損傷の破壊力は従来より強力であるため影響はより深刻であり、従来の製品よりも短波長側に吸収値を持つ紫外線吸収剤が望まれている。
【０００８】
そこでこの発明の課題は、生体成分である核酸を用いることにより、安全性が高く、従来より短波長側の紫外線も吸収できる紫外線吸収剤を提供することにある。
【課題を解決するための手段】
【０００９】
上記のような課題を解決し、安全で効果的な紫外線吸収剤を作製するために、発明者らは、生体成分である核酸に着目し、核酸を皮膚上へ塗布することにより、細胞内ＤＮＡの身代わりとなって紫外線を吸収し、細胞内ＤＮＡの損傷を防ぐことを見いだした。
【００１０】
即ち、請求項１の発明は、核酸を成分に含むことを特徴とする紫外線吸収剤である。
【００１１】
なお、核酸自体でも紫外線吸収の効果はあるが、核酸の最大吸収値は、現在、地表にほとんど達しないとされる紫外線領域２６０ｎｍ付近であるために、通常の紫外線吸収剤として使用した場合は効率があまり良くない。しかし金属イオンを配合し、核酸−金属複合体を形成させることで、紫外線の吸収波長領域を長波長側へシフトさせることを見いだした。
【００１２】
即ち、請求項２の発明は、上記請求項１の発明において、金属イオンを配合し、核酸−金属複合体を形成したことを特徴とする紫外線吸収剤である。
【００１３】
なお、この場合の金属イオンを形成する金属は、特に限定されず、金、銀、銅、白金を含む全ての金属イオンから選ばれた１種又は２種以上を含めれば良い。
【００１４】
請求項３の発明は、上記請求項１又は２の発明において、核酸がアデニン、チミン、グアニン、シトシン、ウラシル塩基を含む全てのヌクレオシド、リボヌクレオチド、デオキシリボヌクレオチド及びポリヌクレオチドから選ばれた１種若しくは２種以上を含むことを特徴とする紫外線吸収剤である。
【００１５】
請求項４の発明は、上記請求項２又は３の発明において、金属イオンの金属が、金を含むことを特徴とする紫外線吸収剤である。
【００１６】
請求項５の発明は、上記請求項１乃至５のいずれか１項に記載の紫外線吸収剤を含んだ化粧品、目薬、農作物保護剤を含んだ全ての紫外線からの保護を目的とした用途に用いられる製品としての紫外線吸収剤である。
【発明の効果】
【００１７】
請求項１の発明によると、生体に対して毒性が無く、ナノ粒子吸引による呼吸器官、脳への危険性が無い生体成分である核酸の紫外線吸収作用を用いて紫外線吸収剤としたので、従来の紫外線吸収剤、紫外線散乱剤よりも安全であり、人、ペット、農作物等全ての生物に対する医薬品、医薬部外品として応用が可能になる。
【００１８】
また、核酸には紫外線吸収作用に加え、抗酸化作用、保湿効果があるため、化粧品としても有用である。
【００１９】
更に、核酸の紫外線の最大吸収値は、現在、地表にほとんど達しないとされる紫外線領域２６０ｎｍ付近であるが、近年のオゾン層減少によるオゾンホールの拡大化により、地表に届く紫外線が短波長のものまで拡大しつつあり、今後はこの領域の紫外線吸収剤が求められてくることが考えられており、将来性が有望な紫外線吸収剤となる。
【００２０】
請求項２の発明によると、更に金属イオンを配合して核酸−金属複合体を形成させることにより、吸収波長領域を長波長側にシフトさせることができるので、現在地表に届くと問題となっている２９０ｎｍより長波長側の吸収率を向上させることができる。
【００２１】
この場合、核酸：金属の混合比率は、モル比で０．１〜９．９：９．９〜０．１の範囲内で適宜決定すれば良く、また、核酸：金属の混合比率はモル比１：１〜３の範囲が更に好ましい。
【００２２】
請求項３の発明によると、核酸中、アデニン、チミン、グアニン、シトシン、ウラシル塩基を含む全てのヌクレオシド、リボヌクレオチド、デオキシリボヌクレオチド及びポリヌクレオチドを含ませることで、紫外線吸収作用により効果的であることが確認できた。
【００２３】
請求項４の発明によると、核酸−金属複合体を形成するための金属は、特に限定されず全ての金属について効果があると考えられるが、特に金を用いた場合に顕著な効果が生じているのが確認できた。
【００２４】
請求項５の発明によると、請求項１乃至５に記載した紫外線吸収剤は、生体に対する毒性や危険性が無いため、人体用日焼け止め剤はもちろん、人、家畜、ペット、農作物等全ての生物に対する紫外線からの保護を目的とした製品に使用することで有効に活用することができる。
【発明を実施するための最良の形態】
【００２５】
核酸として、アデニン、チミン、グアニン、シトシン、ウラシル塩基を含む全てのヌクレオシド、リボヌクレオチド、デオキシリボヌクレオチド及びポリヌクレオチドから選ばれた１種若しくは２種以上を含む核酸を成分に含む成分を得て、これを紫外線吸収剤として用いた。
【００２６】
上記成分に、更に、金、銀、銅、白金を含む全ての金属イオンから選ばれた１種又は２種以上を配合し、核酸−金属複合体を形成し、これを紫外線吸収剤として用いた。
【００２７】
核酸：金属の混合比率は、モル比で０．１〜９．９：９．９〜０．１の範囲内、好ましくは１：１〜３の範囲内とした。
【００２８】
核酸のみを含む紫外線吸収剤も紫外線吸収効果を得たが、核酸−金属複合体を形成した紫外線吸収剤は、紫外線吸収のピーク周波数が長波長側にシフトし、更にピーク値も向上し、現在、地表に届いている紫外線（ＵＶ−Ｂのうち２９０ｎｍより長波長）を有効に遮断するようになった。
【実施例１】
【００２９】
１０ｍＭ  ＮａＣｌ、デオキシリボヌクレオチドの一つである１ｍＭ  2'-Deoxyadenosine 5'-monophosphate（ｄＡＭＰ）、及び３ｍＭ  ＨＡｕＣｌ4（塩化金）を混合し、１０ｍＭ酢酸緩衝液（ｐＨ５．６）中で９６時間、室温で静置した。その結果、紫外線吸収波長の変化を図１に示す（ｄＡＭＰ−Ｇｏｌｄ）。参考として、ｄＡＭＰのみの場合（ｄＡＭＰ）、及び金のみの場合（Ｇｏｌｄ）の紫外線吸収波長の変化も示した。
【００３０】
図１に示すように、ｄＡＭＰのみの場合、その紫外線吸収波長のピークが２６０ｎｍ付近であったものが、ｄＡＭＰと塩化金を混合することにより、紫外線吸収波長が長波長側へシフトし、ＵＶ−Ａ領域においても紫外線の吸収が見られた。更に、２６０ｎｍにおける極大吸収値も増大した。
【００３１】
以上のように、ｄＡＭＰと塩化金の核酸−金属複合体を形成することで、現在、地表に届いている２９０ｎｍより長波長の紫外線の吸収効率が向上し、紫外線吸収剤として有効であることがわかった。
【図面の簡単な説明】
【００３２】
【図１】紫外線の波長と吸収率との関係を示すグラフである。
【図１】
2008133402.tif 000003